(57)【要約】【課題】  過去に着信要求があったユーザから、再度、着信要求がなされた場合、留守番モードにおける応答メッセージの内容を変更する。【解決手段】  制御部は、最初に着信要求がなされた際に、このユーザの電話番号を着信履歴に記録すると共に、「現在は電話に出ることができない」との内容の第１の応答メッセージを再生する。また、制御部は、着信履歴を表示した場合、ユーザが着信に気付いてものと判断し、表示した着信履歴に対してチェックを付加する。そして、このチェックを付加した着信履歴の電話番号と同じ電話番号から着信要求があり、留守番モードに移行した場合に、「現在は電話に出ることができないのであるが、過去の着信には気付いており、また、再度の電話に対するお詫び」の内容の第２の応答メッセージを再生する。これにより、再度、着信要求を行った相手に対して、過去の着信に気付いていることを認識させることができる。【選択図】  図３
2005204085.tif 000002
【特許請求の範囲】
【請求項１】
留守番応答を行うための、それぞれ応答内容が異なる、少なくとも第１の応答メッセージ及び第２の応答メッセージが記憶された応答メッセージ記憶手段と、
着信要求がなされた際に着信履歴を記憶する着信履歴記憶手段と、
着信履歴を表示した際に、該表示した着信履歴に対して所定の識別情報が付加されていない場合に、該表示した着信履歴に対して所定の識別情報を付加する識別情報付加手段と、
着信要求がなされた際に、現在、着信要求がなされている相手と同じ相手の着信履歴が、上記着信履歴記憶手段に記憶されているか否かを判別する第１の判別手段と、
上記第１の判別手段により、現在、着信要求がなされている相手と同じ相手の着信履歴が、上記着信履歴記憶手段に記憶されていると判別された場合に、この着信履歴に対して上記所定の識別情報が付加されているか否かを判別する第２の判別手段と、
現在、着信要求がなされている相手と同じ相手の着信履歴が、上記着信履歴記憶手段に記憶されていないことが上記第１の判別手段により判別された場合、及び現在、着信要求がなされている相手と同じ相手の着信履歴が、上記着信履歴記憶手段に記憶されていることが上記第１の判別手段により判別され、かつ、その着信履歴に対して上記所定の識別情報が付加されていないことが上記第２の判別手段により判別された場合、現在応答することができない内容の上記第１の応答メッセージを上記応答メッセージ記憶手段から読み出し、
現在、着信要求がなされている相手と同じ相手の着信履歴が上記着信履歴記憶手段に記憶されていることが、上記第１の判別手段により判別され、かつ、その着信履歴に対して上記所定の識別情報が付加されていることが上記第２の判別手段により判別された場合、現在応答することができないが、過去の着信には気付いている内容の上記第２の応答メッセージを上記応答メッセージ記憶手段から読み出す応答メッセージ読み出し手段と、
上記応答メッセージ読み出し手段により読み出された上記第１の応答メッセージ或いは第２の応答メッセージを、上記着信要求に対する応答としてリアルタイムに返信する応答メッセージ返信手段と
を有する通信装置。
【請求項２】
請求項１に記載の通信装置であって、
上記応答メッセージ記憶手段には、留守番応答を行うための、それぞれ応答内容が異なる、少なくとも第１〜第３の応答メッセージが記憶されており、
上記情報付加手段は、着信履歴を表示した際に、該表示した着信履歴に対して所定の識別情報が付加されていない場合に、この着信履歴に対して第１の識別情報を付加し、また、上記第１の判別手段により、現在、着信要求がなされている相手と同じ相手の着信履歴が、上記着信履歴記憶手段に記憶されていないと判別された場合に、この着信履歴に対して第２の識別情報を付加し、さらに、上記第１の判別手段により、現在、着信要求がなされている相手と同じ相手の着信履歴が、上記着信履歴記憶手段に記憶されていると判別され、かつ、上記第２の判別手段により、現在、着信要求がなされている相手の着信履歴に対して、上記第１の識別情報或いは第２の識別情報が付加されていないものと判別された場合に、この着信履歴に対して第２の識別情報を付加し、
上記応答メッセージ読み出し手段は、現在、着信要求がなされている相手と同じ相手の着信履歴が、上記着信履歴記憶手段に記憶されていないことが上記第１の判別手段により判別された場合、及び現在、着信要求がなされている相手と同じ相手の着信履歴が、上記着信履歴記憶手段に記憶されていることが上記第１の判別手段により判別され、かつ、その着信履歴に対して上記第１或いは第２の識別情報が付加されていないことが上記第２の判別手段により判別された場合、現在応答することができない内容の上記第１の応答メッセージを上記応答メッセージ記憶手段から読み出し、
現在、着信要求がなされている相手と同じ相手の着信履歴が上記着信履歴記憶手段に記憶されていることが、上記第１の判別手段により判別され、かつ、その着信履歴に対して上記第１の識別情報が付加されていることが上記第２の判別手段により判別された場合、現在応答することができないが、過去の着信には気付いている内容の上記第２の応答メッセージを上記応答メッセージ記憶手段から読み出し、
現在、着信要求がなされている相手と同じ相手の着信履歴が上記着信履歴記憶手段に記憶されていることが、上記第１の判別手段により判別され、かつ、その着信履歴に対して上記第２の識別情報が付加されていることが上記第２の判別手段により判別された場合、現在応答することができず、過去の着信にも気付いていない内容の上記第３の応答メッセージを上記応答メッセージ記憶手段から読み出すこと
を特徴とする通信装置。
【請求項３】
請求項１又は請求項２に記載の通信装置であって、
発信履歴、及び／又は、着信履歴を記憶する履歴記憶手段を有し、
上記応答メッセージ返信手段は、上記履歴記憶手段に記憶されている発信履歴、及び／又は、着信履歴に基づいて、発信、及び／又は、応答をしている時間帯を検出し、この時間帯を示すメッセージを、上記いずれかの応答メッセージと共に返信すること
を特徴とする通信装置。
【請求項４】
請求項１から請求項３のうち、いずれか一項に記載の通信装置であって、
スケジュール情報を記憶するスケジュール記憶手段を有し、
上記応答メッセージ返信手段は、上記スケジュール記憶手段から、スケジュール情報が記録されていない時間帯を検出し、この時間帯を示すメッセージを、上記いずれかの応答メッセージと共に返信すること
を特徴とする通信装置。
【請求項５】
着信履歴記憶手段に記憶されている着信履歴を表示した際に、該表示した着信履歴に対して所定の識別情報が付加されていない場合に、該表示した着信履歴に対して所定の識別情報を付加する識別情報付加手段と、
着信要求がなされた際に、現在、着信要求がなされている相手と同じ相手の着信履歴が、上記着信履歴記憶手段に記憶されているか否かを判別する第１の判別手段と、
上記第１の判別手段として機能した際に、現在、着信要求がなされている相手と同じ相手の着信履歴が、上記着信履歴記憶手段に記憶されていると判別した場合に、この着信履歴に対して上記所定の識別情報が付加されているか否かを判別する第２の判別手段と、
現在、着信要求がなされている相手と同じ相手の着信履歴が、上記着信履歴記憶手段に記憶されていないことを、上記第１の判別手段として機能した際に判別した場合、及び現在、着信要求がなされている相手と同じ相手の着信履歴が、上記着信履歴記憶手段に記憶されていることを、上記第１の判別手段として機能した際に判別し、かつ、その着信履歴に対して上記所定の識別情報が付加されていないことを、上記第２の判別手段として機能した際に判別した場合、留守番応答を行うための、それぞれ応答内容が異なる、少なくとも第１の応答メッセージ及び第２の応答メッセージが記憶された応答メッセージ記憶手段から、現在応答することができない内容の上記第１の応答メッセージを上記応答メッセージ記憶手段から読み出し、現在、着信要求がなされている相手と同じ相手の着信履歴が上記着信履歴記憶手段に記憶されていることを、上記第１の判別手段として機能した際に判別し、かつ、その着信履歴に対して上記所定の識別情報が付加されていることを、上記第２の判別手段として機能した際に判別した場合、現在応答することができないが、過去の着信には気付いている内容の上記第２の応答メッセージを上記応答メッセージ記憶手段から読み出す応答メッセージ読み出し手段と、
上記応答メッセージ読み出し手段として機能した際に、上記応答メッセージ記憶手段から読み出した上記第１の応答メッセージ或いは第２の応答メッセージを、上記着信要求に対する応答としてリアルタイムに返信する応答メッセージ返信手段
としてコンピュータを機能させる留守番応答プログラム。
【請求項６】
請求項５に記載の留守番応答プログラムであって、
コンピュータを上記情報付加手段として機能させる際に、該表示した着信履歴に対して所定の識別情報が付加されていない場合に、該表示した着信履歴に対して第１の識別情報を付加し、また、上記第１の判別手段により、現在、着信要求がなされている相手と同じ相手の着信履歴が、上記着信履歴記憶手段に記憶されていないと判別された場合に、この着信履歴に対して第２の識別情報を付加し、さらに、上記第１の判別手段により、現在、着信要求がなされている相手と同じ相手の着信履歴が、上記着信履歴記憶手段に記憶されていると判別され、かつ、上記第２の判別手段により、現在、着信要求がなされている相手の着信履歴に対して、上記第１の識別情報或いは第２の識別情報が付加されていないものと判別された場合に、この着信履歴に対して第２の識別情報を付加する情報付加手段としてコンピュータを機能させ、
コンピュータを上記応答メッセージ読み出し手段として機能させる際に、現在、着信要求がなされている相手と同じ相手の着信履歴が、上記着信履歴記憶手段に記憶されていないことを、上記第１の判別手段として機能した際に判別した場合、及び現在、着信要求がなされている相手と同じ相手の着信履歴が上記着信履歴記憶手段に記憶されていることを上記第１の判別手段として機能した際に判別し、かつ、その着信履歴に対して上記第１或いは第２の識別情報が付加されていないことを、上記第２の判別手段として機能した際に判別した場合、留守番応答を行うための、それぞれ応答内容が異なる、少なくとも第１〜第３の応答メッセージが記憶された上記応答メッセージ記憶手段から、現在応答することができない内容の上記第１の応答メッセージを上記応答メッセージ記憶手段から読み出し、
現在、着信要求がなされている相手と同じ相手の着信履歴が上記着信履歴記憶手段に記憶されていることを、上記第１の判別手段として機能した際に判別し、かつ、その着信履歴に対して上記第１の識別情報が付加されていることを、上記第２の判別手段として機能した際に判別した場合、現在応答することができないが、過去の着信には気付いている内容の上記第２の応答メッセージを上記応答メッセージ記憶手段から読み出し、
現在、着信要求がなされている相手と同じ相手の着信履歴が上記着信履歴記憶手段に記憶されていることを、上記第１の判別手段として機能した際に判別し、かつ、その着信履歴に対して上記第２の識別情報が付加されていることを、上記第２の判別手段として機能した際に判別した場合、現在応答することができず、過去の着信にも気付いていない内容の上記第３の応答メッセージを上記応答メッセージ記憶手段から読み出す応答メッセージ読み出し手段としてコンピュータを機能させること
を特徴とする留守番応答プログラム。
【発明の詳細な説明】
【技術分野】
【０００１】
本発明は、携帯電話機，ＰＨＳ電話機（Personal Handyphone System），通信機能を備えたＰＤＡ装置（Personal Digital Assistant），通信機能を備えたノート型のパーソナルコンピュータ装置等の携帯端末装置の他、通信機能を備えた据え置き型のパーソナルコンピュータ装置や据え置き型の電話機に適用して好適な通信装置及び留守番応答プログラムに関する。
【背景技術】
【０００２】
今日における携帯電話機は、着信に応答できないときのために、該着信に対して自動的に対応する留守番電話機能や、着信履歴の保存機能を持っている。
【０００３】
前記留守番電話機能は、携帯電話機のユーザが電話に出られないときに、予め設定しておいた応答メッセージを再生し、これを着信要求を行った相手に対して送信し、必要に応じて前記着信要求を行った相手からのメッセージを録音する機能である。
【０００４】
また、前記着信履歴の保存機能は、着信要求を行った相手の電話番号を記憶する機能である。着信要求を行った相手がメッセージを残さない場合、携帯電話機のユーザは、この着信履歴を見れば、誰から着信要求があったのかを知ることができる。
【０００５】
ここで、着信があっても携帯電話機のユーザがなかなか折り返し電話を行わないとき、着信要求を行った相手は再び着信要求を行うことがある。もし、二回目以降の着信要求にも携帯電話機のユーザが応答できなければ、再び留守番電話機能が応答するのであるが、これでは、何度電話をかけても留守番電話機能が応答するばかりで、着信要求を行った相手は、携帯電話機のユーザが着信に気が付いているかどうかを知ることができない。
【０００６】
携帯電話機のユーザが着信に気が付いていることを、着信要求を行った相手が知ることができれば、該着信要求を行った相手は、携帯電話機のユーザから折り返し電話がかかってくるのを待っていれば良い。
【０００７】
しかし、携帯電話機のユーザが着信に気が付いていないのならば、着信要求を行った相手は、再度、着信要求を行う、若しくは電子メール等の他の手段で携帯電話機のユーザと連絡を取る必要がある。
【０００８】
このような問題を解決するために、以下の特許文献１（特開平９−５５７９１公報）に留守番電話装置が開示されている。この留守番電話装置は、着信要求を行った相手からのメッセージを再生すると、このメッセージが再生されたことを示す確認メッセージを、着信要求を行った相手に対して自動的に送信する。
【０００９】
着信要求を行った相手は、この確認メッセージを受信することで、自分のメッセージが送信先のユーザにより再生されたことを認識することができるため、送信先のユーザから折り返し電話がかかってくるまで、安心して待つことができる。
【００１０】
【特許文献１】特開平９−５５７９１公報（第４頁〜第５頁：図３）
【発明の開示】
【発明が解決しようとする課題】
【００１１】
しかし、この特許文献１に開示されている留守番電話装置は、着信要求を行った相手が該着信要求を行った時刻から、この着信要求を行った相手のメッセージを、該メッセージを受け取ったユーザが再生する時刻までの間にタイムラグを生ずる（＝リアルタイムに確認メッセージが送信されるわけではない。）。
【００１２】
このため、着信先のユーザから、着信要求を行った相手に対して前記確認メッセージを送信した際に、該着信要求を行った相手が電波状況の悪い場所に滞在している場合、着信要求を行った相手は前記確認メッセージを受信することができない問題がある。そして、この場合、着信要求を行った相手は、前記確認メッセージを受信することができないことから、前記ユーザに対して再度着信要求を行う不都合を生ずることとなる。
【００１３】
本発明は上述の課題に鑑みてなされたものであり、着信に応答することができない場合の応答メッセージを、同じ相手からの電話の着信回数に応じて変更し、これをリアルタイムで相手方に送信することができるような通信装置及び留守番応答プログラムの提供を目的とする。
【課題を解決するための手段】
【００１４】
本発明は、着信履歴に対して所定の識別情報を付加し、再度、同じ相手から着信要求がなされた際に、この識別情報が付加されているか否かに応じて、応答メッセージの内容を変更する。
【００１５】
具体的には、現在、着信要求がなされている相手と同じ相手の着信履歴が存在しない場合、及び現在、着信要求がなされている相手と同じ相手の着信履歴が存在するが、この着信履歴に対して上記所定の識別情報が付加されていない場合、現在応答することができない内容の第１の応答メッセージを、上記着信要求に対する応答としてリアルタイムに返信する。
【００１６】
また、現在、着信要求がなされている相手と同じ相手の着信履歴が存在し、かつ、その着信履歴に対して上記所定の識別情報が付加されている場合、現在応答することができないが、過去の着信には気付いている内容の第２の応答メッセージを、上記着信要求に対する応答としてリアルタイムに返信する。
【００１７】
これにより、着信要求を行っているユーザは、電話を受ける側のユーザが、過去の着信に気付いているか否かをリアルタイムで認識することができる。
【発明の効果】
【００１８】
本発明は、複数回、着信要求を行った相手は、着信要求によって電話に出てもらえなくても、リアルタイムで再生される応答メッセージを聞くことにより、電話を受ける側のユーザが、過去の着信に気が付いているかどうかを認識することができる。
【発明を実施するための最良の形態】
【００１９】
本発明は、携帯電話機に適用することができる。
【００２０】
［第１の実施の形態］
［携帯電話機の外観的構成］
図１（ａ），（ｂ）は、この本発明の第１の実施の形態となる携帯電話機の外観を示す斜視図である。このうち、図１（ａ）が当該携帯電話機を開成した状態で正面側から見た図、図１（ｂ）が当該携帯電話機を開成した状態で背面側から見た図である。
【００２１】
この図１（ａ），（ｂ）からわかるように、当該実施の形態の携帯電話機は、いわゆる折り畳み式の携帯電話機となっており、上部筐体１と、下部筐体２とをヒンジ３を介して回動自在に連結されている。
【００２２】
下部筐体２の、当該携帯電話機を折り畳んだ時に内側となる面には、電話番号入力や発信操作など所定の操作を行うためのキー入力部４が設けられている。具体的には、このキー入力部４としては、０〜９の数字や＊，＃の記号のキーや、発信操作などを行うキーや、各種機能を設定するキー、図１（ｂ）に示すように携帯電話背面部に設けられているカメラ部５を使用して撮像を行う撮像キー６や、下部筐体２の一側面部に設けられ、回転操作及び押下操作が可能なジョグダイヤル７ある。このジョグダイヤル７は、メールの編集の他、各種入力操作が可能となっている。また、この下部筐体２には、下端部（ヒンジが設けられている端部に対して反対側の端部）に、ユーザの音声等を電気信号に変換するマイクロホン部８が設けられている。
【００２３】
これに対して、上部筐体１の、当該携帯電話機を折り畳んだ時に内側となる面には、各種情報やカメラ部５によって撮像された画像、通話相手から送られてきた画像等を表示するメイン表示部９が設けられている。
【００２４】
このメイン表示部９の上方には、音声信号を可聴可能な音響出力に変換するスピーカ部１３が設けられている。また、このメイン表示部９の下側（ヒンジ部３近傍）には、入力した電話番号やメール編集時における文字の削除（クリア）に用いるクリアキー１０や、メール編集時やアドレス帳編集時の文字入力における文字種変換キー１１が設けられている。この文字種変換キー１１を操作することで、入力された文字の種類が、例えば数字→英文字→かな文字等のように切り替わるようになっている。また、この上部筐体１の上記ヒンジ部３側端部の反対側となる側端部には、ホイップアンテナ１２が設けられている。
【００２５】
また、当該携帯電話機を折畳んだ時に外側となる上部筐体１の背面部には、当該携帯電話機のユーザが周りの風景や人物を撮像する際に使用する上記カメラ部５が設けられている他、各種情報やカメラ部５によって撮像された画像、通話相手から送られてきた画像等を表示するサブ表示部１４が設けられている。
【００２６】
［携帯電話機の電気的構成］
図２は、当該実施の形態の携帯電話機のブロック図である。この図１に示すように当該実施の形態の携帯電話機は、図１に示すように無線基地局に対してデータの送受信を行うアンテナ１２及び通信回路２１と、受話音声，動画ファイルの音声，音楽データの音声等の音声出力を得るためのスピーカ部１３と、送話音声等を集音するマイクロホン８と、所望の被写体を撮像するカメラ部５と、カメラ部５の撮像制御を行う撮像制御部２５と、所定の画像や携帯メールの文章等を表示するメイン表示部９及びサブ表示部部１４とを有している。
【００２７】
また、この携帯電話機は、所定の入力操作を行うための前述の複数のキーからなる操作部４，６，７，１０，１１と、通信アプリケーションプログラム，Ｗｅｂブラウザのアプリケーションプログラム，テレビ電話用のアプリケーションプログラム等の各種プロジェクタの他、後に説明する応答メッセージの音声サンプルデータ等が記憶されたＲＯＭ２２と、電話帳やスケジュール帳のデータや、送受信される携帯メールの文章、さらにはカメラ部５で撮像された静止画像や動画像等の各種データが記憶される他、着信履歴、発信履歴、スケジュール帳、着信に対する応答の有無や応答時刻等を示す応答履歴等が記憶されたＲＡＭ２６と、制御ライン、及び／又は、データラインを介して上記各部と相互に接続された制御部２７とを有している。
【００２８】
［第１の実施の形態の携帯電話機の特徴的動作の概要］
まず、当該携帯電話機に対して着信要求があった際、この携帯電話機のユーザは何らかの理由で応答できないことがある。この場合、当該携帯電話機は、一定時間後（＝所定回数、着呼をカウントした後）、予め設定されている応答メッセージを自動的に再生する。この再生する応答メッセージは、通常は電話に出ることができない事を意味するメッセージとなる。
【００２９】
次に、同じ相手から、再度、着信要求があった場合、当該携帯電話機は、当該携帯電話機のユーザが着信履歴を見たか否か（確認したか否か）を判別する。そして、当該携帯電話機のユーザが、着信履歴を確認しており、過去の着信に気付いているものと判断した場合に、応答メッセージを「現在は電話に出ることができないのであるが、過去の着信には気付いている」内容のメッセージに変更する。
【００３０】
このように付けられた各チェックは、いずれかのチェックが付いている着信履歴に該当する相手の着信要求に対して、ユーザが応答することにより、外されるようになっている。また、これら各チェックは、所定の操作により、手動的に外すことも可能となっている。
【００３１】
［第１の実施の形態の携帯電話機の特徴的動作の具体例］
このような当該携帯電話機の特徴的動作を図３〜図４のフローチャートを用いて説明する。まず、図３のフローチャートは、当該携帯電話機のメイン電源が投入されることでスタートとなる。
【００３２】
ステップＳ１では、制御部２７が、何らかの動作要求がなされたか否かを判別し、何らかの動作要求がなされたことを検出したタイミングでステップＳ２に移行し、このステップＳ２において、動作要求の内容を判別する。そして、制御部２７は、この動作要求の内容が「着呼（着信要求）」であった場合、ステップＳ３に処理を移行し、動作要求の内容が「着信履歴の表示要求」であった場合、図４のステップＳ１１に処理を移行し、動作要求の内容が「発信要求」であった場合、図５のステップＳ１６に処理を移行する。
【００３３】
動作要求の内容が着信要求であり、処理をステップＳ３に移行した場合、制御部２７は、スピーカ部１３を介して着信音を発音制御し、バイブレータを振動駆動させるなどの、ユーザに着信がある事を知らせる着信動作制御を行う。
【００３４】
制御部２７は、この着信動作制御を開始すると、タイマ２４からの計時情報に基づいて、着信動作制御を開始してから経過した時間をカウントする。そして、ステップＳ４において、一定時間以上、オフフックされない場合、ステップＳ５に処理を進める。
【００３５】
なお、一定時間以内にオフフックされた場合、制御部２７は、ステップＳ７において、ＲＡＭ２６の着信履歴に、現在、オフフックされた電話番号が存在するか否かを検索し、このオフフックされた電話番号が着信履歴に記憶されており、かつ、該着信履歴に対してチェックが付加されている場合、このチェックを外して（チェックを非表示とし）、ステップＳ８において、通話動作の制御を行う。
【００３６】
すなわち、この携帯電話機の場合、ユーザにより着信履歴が閲覧されると、この閲覧された着信履歴に対して自動的にチェックを付加するようになっている。この着信履歴のチェックは、該着信履歴に対してチェックが付加されている場合は、ユーザが、着信に気付いていることを示し、該着信履歴に対してチェックが付加されていない場合は、ユーザが、着信に気付いていないことを示す。ただ、このステップＳ７の処理は、オフフックされた場合（電話にでた場合）の処理であるため、以下に説明する留守番モードに移行することなく、そのまま通話モードに移行して、ステップＳ８において、通話動作制御を行う。そして、この通話モードに移行した場合、その相手とは連絡がとれたことを意味するため、上記チェックが着信履歴に付加されている場合は、これを自動的に外す（非表示）処理を行うこととなる。
【００３７】
一方、一定時間以上、オフフックされない場合、制御部２７は、ステップＳ５において、ＲＡＭ２６の着信履歴に、現在、着信要求のなされている電話番号と同じ電話番号が記憶されているか否かを判別する。そして、着信履歴に、現在、着信要求のなされている電話番号と同じ電話番号が記憶されていない場合、現在、着信要求のなされている相手からの電話は、最初の（第１回目の）電話であるため、制御部２７は、ステップＳ９において、留守番モードに移行し、自動的にオフフックすると共に、「現在は電話に出ることができない」との内容の第１のメッセージを、ＲＯＭ２２に記憶されている応答メッセージ用サンプルから再生し、これを相手方に送信し、必要に応じて前記着信要求を行った相手の用件をＲＡＭ２６に記憶制御する。これにより、電話を掛けた相手側は、電話の受け側となるユーザが、現在、電話に出ることができない状態であることを認識することとなる。
【００３８】
次に、上記ステップＳ５において、着信履歴に、現在、着信要求がなされている相手の電話番号が存在した場合、これは、同じ相手から複数回、電話が掛かってきたことを意味する。すなわち、相手方は、過去に掛けた電話に対して、この電話を受ける側のユーザが気付いているか否かわからない状態である。
【００３９】
このため、制御部２７は、ステップＳ６において、この着信履歴に対してチェックが入っているか否かを判別する。この携帯電話機の場合、ユーザにより着信履歴が閲覧されると、この閲覧された着信履歴に対して自動的にチェックを付加するようになっている。このため、ステップＳ６において、着信履歴にチェックが入っていることを検出したということは、ユーザが過去の着信に気付いていることを意味する。
【００４０】
この場合、制御部２７は、ステップＳ１０において、「現在は電話に出ることができないのであるが、過去の着信には気付いており、また、再度の電話に対するお詫び」の内容の第２の応答メッセージを、ＲＯＭ２２に記憶されている応答メッセージ用サンプルから再生し、これを相手方に送信し、必要に応じて前記着信要求を行った相手の用件をＲＡＭ２６に記憶制御する。これにより、電話を掛けた相手側は、電話の受け側となるユーザが、現在、電話に出ることができない状態ではあるが、自分が過去に掛けた電話には気付いていることを認識することができる。このため、電話を掛けた相手側は、折り返しの連絡を安心して待つことができる。
【００４１】
次に、ユーザが着信履歴を閲覧した際に、その着信履歴に対して自動的にチェックを付加する動作、及び手動でこのチェックを外す動作が、図４のフローチャートに示されている。
【００４２】
すなわち、前述のステップＳ２において、制御部２７により、動作要求の内容が着信履歴の表示要求であると判別された場合に、この図４のフローチャートがスタートとなり、ステップＳ１１から順に処理を実行する。
【００４３】
ステップＳ１１では、制御部２７が、この着信履歴の表示要求に対して、メイン表示部９に着信履歴を表示制御する。そして、ステップＳ１２において、この表示した着信履歴に対してチェックが付加されているか否かを判別する。
【００４４】
表示した着信履歴にチェックが付加されていない場合、制御部２７は、この着信履歴の表示により、ユーザが着信を確認したものと判断し、その着信履歴に対してチェックを付加する。このチェックを付加することにより、同じ相手から再度、着信要求がなされ、一定時間以上、オフフックがなされない場合に、ステップＳ１０において、上記第２の応答メッセージが再生されることとなる。
【００４５】
これに対して、表示した着信履歴にチェックが付加されている場合、制御部２７は、ステップＳ１４において、ユーザから、着信履歴に付加されているチェックを外す要求操作がなされたか否かを判別する。
【００４６】
具体的には、例えば過去に着信要求のあった相手に対して、既に連絡がとれている場合等に、この着信履歴に付加されているチェックを外す要求操作が行われることとなる。この要求操作がなされた場合、制御部２７は、ステップＳ１５において、表示している着信履歴に付加されているチェックを外し、処理を図３のフローチャートのステップＳ１に戻す。
【００４７】
なお、制御部２７が、着信履歴にチェックを付加してから経過した時間を、タイマ２４からの計時情報に基づいてカウントし、着信履歴にチェックを付加してから一定時間以上経過した場合に、このチェックを外すようにしてもよい。
【００４８】
次に、ユーザから発信要求がなされた際に、着信履歴に付加されているチェックを自動的に外す動作が、図５のフローチャートに示されている。
【００４９】
すなわち、前述のステップＳ２において、制御部２７により、動作要求の内容が発信要求であると判別された場合に、この図５のフローチャートがスタートとなり、ステップＳ１６から順に処理を実行する。
【００５０】
ステップＳ１６では、制御部２７が、この発信要求のなされた電話番号と同じ電話番号が、着信履歴として記憶されているか否かを判別する。発信要求のなされた電話番号と同じ電話番号が、着信履歴として記憶されていない場合は、制御部２７は、ステップＳ１９において、そのまま、発信要求のなされた電話番号に対応する発信制御を行い、処理を図３のフローチャートのステップＳ１に戻す。
【００５１】
これに対して、発信要求のなされた電話番号と同じ電話番号が、着信履歴として記憶されている場合は、制御部２７は、ステップＳ１７において、その着信履歴に対してチェックが付加されているか否かを判別する。チェックが付加されていない場合は、制御部２７は、ステップＳ１９において、そのまま、発信要求のなされた電話番号に対応する発信制御を行い、処理を図３のフローチャートのステップＳ１に戻す。
【００５２】
また、チェックが付加されている場合、この場合の発信要求は、過去に電話をしてきた相手に対して連絡をとることを意味しているため、制御部２７は、ステップＳ１８において、その着信履歴に付加されているチェックを外し、ステップＳ１９において、発信要求のなされた電話番号に対応して発信制御を行い、処理を図３のフローチャートのステップＳ１に戻す。
【００５３】
［第１の実施の形態の効果］
以上の説明から明らかなように、この第１の実施の形態の携帯電話機は、着信要求がなされてから一定時間以上、オフフックがなされない場合に、留守番電話モードに移行し、着信履歴に、現在、着信要求のなされている電話番号と同じ電話番号が記憶されているか否かを判別する。着信履歴に、現在、着信要求のなされている電話番号と同じ電話番号が記憶されている場合、その着信履歴に対して、過去に着信履歴を閲覧したか否かを示すチェック（＝過去の着信に気付いているか否かを示すチェック）が付加されているか否かを判別する。
【００５４】
そして、着信履歴に対してチェックが付加されていない場合、電話を受ける側のユーザは、過去の着信に気付いていないことを示すため、制御部２７は、「現在は電話に出ることができない」との内容の第１のメッセージを再生する。これにより、電話を掛けた側のユーザは、電話を受ける側のユーザが、過去の着信に気付いていないことを認識することができる。この場合、電話を掛けた側のユーザは、例えば電子メールを用いて連絡をとる等の他の連絡手段を用いることとなる。
【００５５】
これに対して、着信履歴に対してチェックが付加されている場合、電話を受ける側のユーザは、過去の着信に気付いているが、現在は、電話で出られる状態ではないことを示すため、制御部２７は、「現在は電話に出ることができないのであるが、過去の着信には気付いており、また、再度の電話に対するお詫び」の内容の第２の応答メッセージを再生する。これにより、電話を掛けた側のユーザは、電話を受ける側のユーザが、過去の着信に気付いていることを認識することができる。このため、相手側から折り返し連絡がなされるのを安心して待つことができる。
【００５６】
また、電話を受ける側のユーザが、過去の着信に気付いているか否かに応じて（着信履歴にチェックが付加されているか否かに応じて）、応答メッセージの内容を変更し、これをリアルタイムに返信することができるため、着信要求のなされたユーザに対して、過去の着信に気付いているか否かをリアルタイムで知らせることができる。
【００５７】
［第２の実施の形態］
次に、本発明の第２の実施の形態となる携帯電話機の説明をする。
【００５８】
［第２の実施の形態の携帯電話機の特徴的動作の概要］
上述の第１の実施の形態の携帯電話機は、着信履歴に記録されていない相手の着信要求に対して（ステップＳ２５）、及び着信履歴に記録されているが、チェックが付加されていない相手（＝着信履歴が閲覧されていない相手）の着信要求に対して（ステップＳ２６）、それぞれ「現在、電話に出ることができない」との内容の第１の応答メッセージを再生するものであった。
【００５９】
これに対して、この第２の実施の形態の携帯電話機は、
１．着信履歴に何もチェックが付加されていない場合は、「現在、電話に出ることができない」との内容の第１の応答メッセージを再生し、
２．着信履歴に第１のチェックが付加されている場合は、「現在は電話に出ることができないのであるが、過去の着信には気付いており、また、再度の電話に対するお詫び」の内容の第２の応答メッセージを再生し、
３．着信履歴に第２のチェックが付加されている場合は、「現在は電話に出ることができず、過去の着信にも気付いていない旨と、再度の電話に対するお詫び」の内容の第３の応答メッセージを再生する。
【００６０】
前記第１のチェック及び第２のチェックは、該当する着信履歴に対して排他的に付けられ、各チェックが該当する着信履歴に対して同時には付けられないようになっている。また、第２のチェックよりも第１のチェックを優先して付けるようになっている。また、第２のチェックを付けるときに第１のチェックが付いていた場合には、第１のチェックを外し、第２のチェックを付けるようになっている。
【００６１】
このように付けられた各チェックは、いずれかのチェックが付いている着信履歴に該当する相手の着信要求に対して、ユーザが応答することにより、外されるようになっている。また、これら各チェックは、所定の操作により、手動的に外すことも可能となっている。
【００６２】
［第２の実施の形態の携帯電話機の特徴的動作の具体例］
このような第２の実施の形態の携帯電話機の特徴的動作を図６〜図８のフローチャートを用いて説明する。まず、図６のフローチャートは、当該携帯電話機のメイン電源が投入されることでスタートとなる。
【００６３】
ステップＳ２１では、制御部２７が、何らかの動作要求がなされたか否かを判別し、何らかの動作要求がなされたことを検出したタイミングでステップＳ２２に移行し、このステップＳ２２において、動作要求の内容を判別する。そして、制御部２７は、この動作要求の内容が「着信要求」であった場合、ステップＳ２３に処理を移行し、動作要求の内容が「着信履歴の表示要求」であった場合、図７のステップＳ４１に処理を移行し、動作要求の内容が「発信要求」であった場合、図８のステップＳ５１に処理を移行する。
【００６４】
動作要求の内容が着信要求であり、処理をステップＳ２３に移行した場合、制御部２７は、スピーカ部１３を介して着信音を発音制御し、バイブレータを振動駆動させるなどの、ユーザに着信がある事を知らせる着信動作制御を行う。
【００６５】
制御部２７は、この着信動作制御を開始すると、タイマ２４からの計時情報に基づいて、着信動作制御を開始してから経過した時間をカウントする。そして、ステップＳ２４において、一定時間以上、オフフックされない場合、ステップＳ２５に処理を進める。
【００６６】
なお、一定時間以内にオフフックされた場合、制御部２７は、ステップＳ２８において、ＲＡＭ２６の着信履歴に、現在、オフフックされた電話番号が存在するか否かを検索し、このオフフックされた電話番号が着信履歴に記憶されており、かつ、該着信履歴に対して以下に説明する第１或いは第２のチェックが付加されている場合、このチェックを外して（チェックを非表示とし）、ステップＳ２９において、通話動作の制御を行う。
【００６７】
すなわち、オフフックされたということは、着信履歴に記録されている相手と連絡がとれたことを意味するため、制御部２７は、該着信履歴に対して第１或いは第２のチェックが付加されている場合は、このチェックを外し、ステップＳ２９において、通話動作の制御を行う。
【００６８】
一方、一定時間以上、オフフックされない場合、制御部２７は、ステップＳ２５において、ＲＡＭ２６の着信履歴に、現在、着信要求のなされている電話番号と同じ電話番号が記憶されているか否かを判別する。そして、着信履歴に、現在、着信要求のなされている電話番号と同じ電話番号が記憶されていない場合、現在、着信要求のなされている相手からの電話は、最初の（第１回目の）電話であるため、制御部２７は、ステップＳ３０において、留守番モードに移行し、ユーザが着信に気付くことなく、再度同じ相手から着信要求があった際に第３の応答メッセージを再生すべく、その電話番号の着信履歴に対して第２のチェック付加すると共に、自動的にオフフックし、「現在は電話に出ることができない」との内容の第１のメッセージを、ＲＯＭ２２に記憶されている応答メッセージ用サンプルから再生し、これを相手方に送信する。そして、必要に応じて前記着信要求を行った相手の用件をＲＡＭ２６に記憶制御する。これにより、電話を掛けた相手側は、電話の受け側となるユーザが、現在、電話に出ることができない状態であることを認識することとなる。
【００６９】
次に、上記ステップＳ２５において、着信履歴に、現在、着信要求がなされている相手の電話番号が存在した場合、これは、同じ相手から複数回、電話が掛かってきたことを意味する。すなわち、相手方は、過去に掛けた電話に対して、この電話を受ける側のユーザが気付いているか否かわからない状態である。
【００７０】
このため、制御部２７は、ステップＳ２６において、この着信履歴に対してチェックが付加されているか否か、及び付加されているチェックの種類（第１のチェック又は第２のチェック）を判別する。
【００７１】
着信履歴に対してチェックが付加されていない場合、制御部２７は、ステップＳ３０に処理を進める。そして、着信履歴に電話番号が記録されているにもかかわらず、何のチェックも入っていないということは、電話を受ける側のユーザが過去の着信要求に気付いていないことを示すため（＝着信履歴を閲覧していないことを示すため）、制御部２７は、再度同じ相手から着信要求があった際に第３の応答メッセージを再生すべく、その電話番号の着信履歴に対して第２のチェック付加すると共に、自動的にオフフックし、「現在は電話に出ることができない」との内容の第１のメッセージを、ＲＯＭ２２に記憶されている応答メッセージ用サンプルから再生する。
【００７２】
また、着信履歴に第１のチェックが付加されていた場合、これは、ユーザが着信履歴を閲覧したことを意味する。このため、制御部２７は、着信履歴に第１のチェックが付加されていた場合は、ステップＳ３１において、留守番モードに移行し、自動的にオフフックすると共に、「現在は電話に出ることができないのであるが、過去の着信には気付いており、また、再度の電話に対するお詫び」の内容の第２の応答メッセージを再生する。
【００７３】
これにより、電話を掛けた相手側は、電話の受け側となるユーザが、現在、電話に出ることができない状態ではあるが、自分が過去に掛けた電話には気付いていることを認識することができる。このため、電話を掛けた相手側は、折り返しの連絡を安心して待つことができる。
【００７４】
また、着信履歴に第２のチェックが付加されていた場合、これは、ユーザが着信履歴を閲覧しておらず、過去の着信にも気付いていないことを意味する。このため、制御部２７は、着信履歴に第２のチェックが付加されていた場合は、ステップＳ２７において、留守番モードに移行し、自動的にオフフックすると共に、「現在は電話に出ることができず、過去の着信にも気付いていない旨と、再度の電話に対するお詫び」の内容の第３の応答メッセージを再生する。
【００７５】
これにより、電話を掛けた相手側は、電話の受け側となるユーザが、現在、電話に出ることができない状態であり、なおかつ、自分が過去に掛けた電話にも気付いていないことを認識することができる。このため、電話を掛けた相手側は、折り返し電話がかかってくるのを待つか、或いは電子メール等の別の通信手段を用いて連絡をとることとなる。
【００７６】
次に、ユーザが着信履歴を閲覧した際に、その着信履歴に対して自動的にチェックを付加する動作、及び手動でこのチェックを外す動作が、図７のフローチャートに示されている。
【００７７】
すなわち、前述のステップＳ２１において、制御部２７により、動作要求の内容が着信履歴の表示要求であると判別された場合に、この図７のフローチャートがスタートとなり、ステップＳ４１から順に処理を実行する。
【００７８】
ステップＳ４１では、制御部２７が、この着信履歴の表示要求に対して、メイン表示部９に着信履歴を表示制御する。そして、ステップＳ４２において、この表示した着信履歴に対して第１のチェックが付加されているか否かを判別する。
【００７９】
第１のチェックが付加されているということは、そのユーザが、過去にも着信履歴を閲覧したことを意味する。このため、制御部２７は、ステップＳ４６において、ユーザから、この第１のチェックを外す要求操作がなされたか否かを判別する。ユーザからの第１のチェックを外す要求操作がなされない場合、制御部２７は、処理を図６のフローチャートのステップＳ２１に戻す。
【００８０】
ユーザからの第１のチェックを外す要求操作がなされた場合、制御部２７は、ステップＳ４７において、表示している着信履歴に付加されている第１のチェックを外し（非表示制御し、）、処理を図６のフローチャートのステップＳ２１に戻す。これにより、付加されている第１のチェックを手動で外すことができる。
【００８１】
これに対して、表示した着信履歴に第１のチェックが付加されていない場合、制御部２７は、ステップＳ４３において、この表示した着信履歴に対して第２のチェックが付加されているか否かを判別する。
【００８２】
この図７に示すフローチャートは、着信履歴の表示が指定された場合のフローチャートであり、着信履歴を表示したということは、ユーザが着信に気付くことを意味するため、表示した着信履歴に対して第２のチェックが付加されている場合、制御部２７は、ステップＳ４４において、表示した着信履歴に付加されている第２のチェックを外すと共に、ステップＳ４５において、その着信履歴に対して第１のチェックを付加する。これにより、再度、同じ相手から着信要求があった場合は、第２のチェックが付加されたままであると、「現在は電話に出ることができず、過去の着信にも気付いていない旨と、再度の電話に対するお詫び」の内容の第３の応答メッセージが再生されるのであるが、付加されるチェックが第１のチェックに変更されたため、「現在は電話に出ることができないのであるが、過去の着信には気付いており、また、再度の電話に対するお詫び」の内容の第２の応答メッセージが再生されることとなる。
【００８３】
このように、第１のチェック及び第２のチェックは、第２の応答メッセージを再生するか、第３の応答メッセージを再生するかを決定する要因となるため、該第１のチェック及び第２のチェックは排他的に付加されることとなる。
【００８４】
また、第２のチェックを第１のチェックに付加し直した場合も、ユーザから、この第１のチェックを外す要求操作がなされれば、制御部２７は、ステップＳ４６及びステップＳ４７において、その着信履歴から第１のチェックを外すこととなる。
【００８５】
なお、制御部２７が、着信履歴に第１のチェック、及び／又は、第２のチェックを付加してから経過した時間を、タイマ２４からの計時情報に基づいてカウントし、着信履歴にチェックを付加してから一定時間以上経過した場合に、このチェックを外すようにしてもよい。
【００８６】
次に、ユーザから発信要求がなされた際に、着信履歴に付加されている第１のチェック或いは第２のチェックを自動的に外す動作が、図８のフローチャートに示されている。
【００８７】
すなわち、前述のステップＳ２１において、制御部２７により、動作要求の内容が発信要求であると判別された場合に、この図８のフローチャートがスタートとなり、ステップＳ５１から順に処理を実行する。
【００８８】
ステップＳ５１では、制御部２７が、この発信要求のなされた電話番号と同じ電話番号が、着信履歴として記憶されているか否かを判別する。発信要求のなされた電話番号と同じ電話番号が、着信履歴として記憶されていない場合は、制御部２７は、ステップＳ５４において、そのまま、発信要求のなされた電話番号に対応する発信制御を行い、処理を図６のフローチャートのステップＳ２１に戻す。
【００８９】
これに対して、発信要求のなされた電話番号と同じ電話番号が、着信履歴として記憶されている場合は、制御部２７は、ステップＳ５２において、その着信履歴に対して第１或いは第２のチェックが付加されているか否かを判別する。いずれかのチェックが付加されていない場合は、制御部２７は、ステップＳ５４において、そのまま、発信要求のなされた電話番号に対応する発信制御を行い、処理を図６のフローチャートのステップＳ２１に戻す。
【００９０】
また、チェックが付加されている場合、この場合の発信要求は、過去に電話をしてきた相手に対して連絡をとることを意味しているため、制御部２７は、ステップＳ５３において、その着信履歴に付加されているいずれかのチェックを外し、ステップＳ５４において、発信要求のなされた電話番号に対応して発信制御を行い、処理を図６のフローチャートのステップＳ２１に戻す。
【００９１】
［第２の実施の形態の効果］
以上の説明から明らかなように、この第２の実施の形態の携帯電話機は、
着信要求のなされた電話番号が着信履歴に記録されていない場合、及び着信要求のなされた電話番号が着信履歴に記録されてはいるが、何のチェックも付加されていない場合、その着信履歴に対して第２のチェックを付加する。
【００９２】
また、着信履歴を表示した場合において、何のチェックも付加されていない場合は、その着信履歴に対して第１のチェックを付加し、第２のチェックが付加されている場合は、この第２のチェックを第１のチェックに付加し直す。
【００９３】
留守番モードに移行した際に、着信履歴に第１のチェックが付加されている場合は、ユーザは過去の着信に気付いていることを示すため、「現在は電話に出ることができないのであるが、過去の着信には気付いており、また、再度の電話に対するお詫び」の内容の第２の応答メッセージを再生する。
【００９４】
これにより、電話を掛けてきた相手側は、電話を受ける側のユーザが、過去の着信に「気付いていること」を認識することができる。
【００９５】
これに対して、留守番モードに移行した際に、着信履歴に第２のチェックが付加されている場合は、ユーザは過去の着信に気付いていないことを示すため、「現在は電話に出ることができず、過去の着信にも気付いていない旨と、再度の電話に対するお詫び」の内容の第３の応答メッセージを再生する。
【００９６】
これにより、電話を掛けてきた相手側は、電話を受ける側のユーザが、過去の着信に「気付いていないこと」を認識することができる。このため、着信要求を行ったユーザは、そのまま折り返し電話がかかってくるのを待つか、或いは電子メール等の他の通信手段を用いて連絡をとることを考慮することができる。
【００９７】
そして、この他、この第２の実施の形態の携帯電話機は、上述の第１の実施の形態の携帯電話機と同様の効果を得ることができる。
【００９８】
［変形例］
（自分で録音した応答メッセージを用いる場合）
上述の第１，第２の実施の形態の説明では、応答メッセージとしてＲＯＭ２２に記憶されている応答メッセージ用サンプルを再生することとしたが、これは、第１及び第２の応答メッセージ、或いは第１〜第３の応答メッセージを、ユーザが予め録音しておき、これを制御部２７が再生するようにしてもよい。
【００９９】
この場合、ユーザが録音した応答メッセージは、応答メッセージ記憶部２３に記憶される。制御部２７は、上述のチェックに応じて、この応答メッセージ記憶部２３に記憶されている応答メッセージを再生することとなる。これにより、ユーザにより予め形成されたオリジナルの応答メッセージを再生することができる。
【０１００】
（スケジュール帳から応答可能な時間を検索する場合）
また、スケジュール帳から、ユーザが空いている時間を検索し、この時間を応答メッセージに含めるようにしてもよい。
【０１０１】
この場合、制御部２７は、ＲＡＭ２６に記憶されているユーザのスケジュール帳を検索する。このスケジュール帳には、ユーザが、日付け及び時間帯を指定して自分のスケジュールを記録するため、ユーザが相手いる日時には、何のスケジュールも記録されていないはずである。
【０１０２】
このため、制御部２７は、１日或いは数日の間のスケジュールを検索し、応答メッセージを再生する際に、ユーザの空いている時間帯を示すメッセージも付加して再生する。
【０１０３】
具体的には、制御部２７は、第１の応答メッセージを再生する場合、「現在は電話に出ることができない」との内容の応答メッセージに、「○○時〜××時には応答可能である」との内容の応答メッセージを付加して再生する。
【０１０４】
同様に、第２の応答メッセージを再生する場合、制御部２７は、「現在は電話に出ることができないのであるが、過去の着信には気付いており、また、再度の電話に対するお詫び」の内容の応答メッセージに、「○○時〜××時には応答可能である」との内容の応答メッセージを付加して再生する。
【０１０５】
同様に、第３の応答メッセージを再生する場合、制御部２７は、「現在は電話に出ることができず、過去の着信にも気付いていない旨と、再度の電話に対するお詫び」の内容の応答メッセージに、「○○時〜××時には応答可能である」との内容の応答メッセージを付加して再生する。
【０１０６】
これにより、着信要求を行った相手は、ユーザのスケジュールが空いている時間帯を認識することができるため、この時間帯に電話をかけ直すことが可能となり、略々確実に連絡をとることを可能とすることができる。
【０１０７】
（過去の発信履歴及び応答履歴から応答可能な時間を検索する場合）
また、過去の発信履歴及び応答履歴から、ユーザが通信している時間帯を検索し、この時間帯を応答メッセージに含めるようにしてもよい。
【０１０８】
この場合、制御部２７は、ユーザが着信要求に応答した日時を示す情報である応答履歴、及びユーザが発信した日時を示す情報である発信履歴をＲＡＭ２６に記憶しておく。そして、この発信履歴及び応答履歴を蓄積することで、ユーザが発信及び応答を行っている時間帯の統計をとる。そして、応答メッセージを再生する際に、ユーザが発信及び応答を行っている時間帯を示すメッセージも付加して再生する。
【０１０９】
これにより、着信要求を行った相手は、ユーザが当該携帯電話機を発信又は応答で使用している時間帯を認識することができるため、この時間帯に電話をかけ直すことが可能となり、略々確実に連絡をとることを可能とすることができる。
【０１１０】
なお、発信履歴及び応答履歴は、いずれか一方を用いるようにしてもよい。また、この発信履歴及び応答履歴を用いた応答制御を、前述のスケジュール帳を用いた応答制御と合わせて実行するようにしてもよい。この場合、スケジュールの空いている時間帯で、なおかつ、発信、及び／又は、応答している実績のある時間帯が応答されることとなるため、より顕著な効果を得ることができる。
【０１１１】
最後に、本発明は、一例として開示した上述の各実施の形態に限定されることはない。例えば、上述の各実施の形態の説明では、本発明を携帯電話機に適用することとしたが、これは、通信機能を備えた機器であれば、どのような機器に適用してもよい。
【０１１２】
また、一定時間以上、オフフック操作されない場合に留守番モードに移行することとしたが、これは、ユーザにより、留守番応答設定がなされている場合に、着信要求に対して自動的に留守番モードに移行し、前述の応答メッセージを再生するようにしてもよい。また、応答メッセージの種類や内容は、一例であることを理解されたい。
【０１１３】
そして、上述の各実施の形態以外であっても、本発明に係る技術的思想を逸脱しない範囲であれば、設計等に応じて種々の変更が可能であることは勿論であることを付け加えておく。
【図面の簡単な説明】
【０１１４】
【図１】本発明を適用した第１の実施の形態となる携帯電話機の外観を示す斜視図である。
【図２】前記第１の実施の形態の携帯電話機のブロック図である。
【図３】前記第１の実施の形態の携帯電話機の留守番モード時における動作を説明するためのフローチャートである。
【図４】前記第１の実施の形態の携帯電話機における、着信履歴の表示時に、該着信履歴にチェックを付加する動作、及び着信履歴に付加されているチェックを手動で外す際の動作を説明するためのフローチャートである。
【図５】前記第１の実施の形態の携帯電話機の発信動作時に、着信履歴に付加されたチェックを自動的に外す動作を説明するためのフローチャートである。
【図６】本発明を適用した第２の実施の形態の携帯電話機の留守番モード時における動作を説明するためのフローチャートである。
【図７】前記第２の実施の形態の携帯電話機における、着信履歴の表示時に、該着信履歴に付加されている第１のチェックを第２のチェックに付加し直す動作、及び着信履歴に付加されている第１のチェックを手動で外す際の動作を説明するためのフローチャートである。
【図８】前記第２１の実施の形態の携帯電話機の発信動作時に、着信履歴に付加された第１或いは第２のチェックを自動的に外す動作を説明するためのフローチャートである。
【符号の説明】
【０１１５】
１  上部筐体、２  下部筐体、３  ヒンジ、４  キー入力部、５  カメラ部、６  撮像キー、７  ジョグダイヤル、８  マイクロホン部、９  メイン表示部、１０  クリアキー、１１  文字種変換キー、１２  ホイップアンテナ、１３  スピーカ部、１４  サブ表示部、２１  通信回路、２２  ＲＯＭ、２３  応答メッセージ記憶部、２４  タイマ、２５  撮像制御部、２６  ＲＡＭ
【図１】
2005204085.tif 000003
【図２】
2005204085.tif 000004
【図３】
2005204085.tif 000005
【図４】
2005204085.tif 000006
【図５】
2005204085.tif 000007
【図６】
2005204085.tif 000008
【図７】
2005204085.tif 000009
【図８】
2005204085.tif 000010